(57)【要約】【課題】既存の機器の位置や既存の伝送路の配索形態を変更することなく、機器の追加や拡張を行うことができるリングネットワークシステムを提供する。【解決手段】データ通信を制御する通信制御部１０５ａ〜１０５ｂを有する複数の機器１０１〜１０２を第１の伝送路１０９ａによりリング状に接続し、各機器相互間でデータの送受信を行うリングネットワークシステムにおいて、さらに、通信制御部１０５ｃを有する追加機器１０３と、第２の伝送路１０９ｂ〜１０９ｄと、整波装置１０４とを設け、複数の機器１０１〜１０２と追加機器１０３と整波装置１０４とを第１の伝送路１０９ａ及び第２の伝送路１０９ｂ〜１０９ｄによりリング状に接続し、整波装置１０４は、第１の伝送路１０９ａ及び第２の伝送路１０９ｂ〜１０９ｄ上のデータに含まれる信号の波形を整形して増幅する。【選択図】図１１
2007221827.tif 000002
【特許請求の範囲】
【請求項１】
データ通信を制御する通信制御部を有する複数の機器を第１の伝送路によりリング状に接続し、各機器相互間でデータの送受信を行うリングネットワークシステムにおいて、
さらに、前記通信制御部を有する追加機器と、第２の伝送路と、整波装置とを設け、
前記複数の機器と前記追加機器と前記整波装置とを前記第１の伝送路及び前記第２の伝送路によりリング状に接続し、
前記整波装置は、前記第１の伝送路及び前記第２の伝送路上の前記データに含まれる信号の波形を整形して増幅することを特徴とするリングネットワークシステム。
【発明の詳細な説明】
【技術分野】
【０００１】
本発明は、車両内に設けられた複数の機器を伝送路によりリング状に接続して各機器相互間でデータ通信を行うリングネットワークシステムに関し、容易に機器の追加や拡張が行えるとともに、通信集積回路を有しない機器のネットワークへの追加を可能とするリングネットワークシステムに関する。
【背景技術】
【０００２】
従来の車両内に設けられたリングネットワークシステムの構成図を図１３に示す。図１３に示すように、リングネットワークシステムは、データ送受信を制御する通信集積回路（通信ＩＣ）２０３ａを有する機器２０１ａ、通信ＩＣ２０３ｂを有する機器２０１ｂ、通信ＩＣ２０３ｃを有する機器２０１ｃのそれぞれが伝送路２０５によりリング状に接続されて構成される。
【０００３】
これらの機器は、ラジオチューナ、アンプ、コンパクトディスクプレーヤー（以下、ＣＤプレーヤーと称する。）、カセットデッキ等の機器であり、各機器相互間でデータ通信を行う。例えば、ＣＤプレーヤーを動作させて、ＣＤ信号を伝送路を介してアンプに送出し、アンプによりＣＤ信号を増幅してスピーカにより音を出力することができる。
【０００４】
また、高速にデータ通信を行うリングネットワークシステムを構成する場合には、高速データ伝送が可能な光ファイバ等の伝送路を用いている。
【特許文献１】特開平４−５６４４１号公報
【発明の開示】
【発明が解決しようとする課題】
【０００５】
しかしながら、図１３に示すリングネットワークシステムにおいては、隣接機器間を接続するために光ファイバ等の伝送路が必要であり、各機器毎に光コネクタを設けなければならなかった。このため、リングネットワークシステムの構成が複雑化してしまうため、ネットワークに機器をさらに追加したり、拡張することは困難であった。
【０００６】
また、通常のリングネットワークシステムでは、通信ＩＣを有する機器が伝送路に接続されて構成されるため、通信ＩＣを有しない非ネットワーク機器（アナログ機器）を同一のリングネットワークシステムに追加することは非常に困難であった。
【０００７】
一方、図１４に示すようなリングネットワークシステムにおいては、通信ＩＣ２０９ａを有する第１の機器２０７ａと、通信ＩＣ２０９ｂを有する第２の機器２０７ｂとが標準装備され、伝送路２１１ａ，２１１ｂによりリング状に接続されて構成される。
【０００８】
この場合、第１の機器２０７ａと第２の機器２０７ｂとの位置、伝送路２１１ａ，２１１ｂの配索経路、及び伝送路の線長等は、既に設定されていることが多い。このため、図１５に示すように、新たに第３の機器２０７ｃをリングネットワークシステムに追加した場合には、さらに、中継コネクタ２１３、伝送路２１１ｃ，２１１ｄを設けなければならなかった。
【０００９】
また、光ファイバを用いている場合には、中継コネクタ２１３により、光信号が大幅に減衰したり、波形歪み、ジッター等が発生してしまう。このため、正常な通信を行えないという問題があった。
【００１０】
本発明は、既存の機器の位置や既存の伝送路の配索形態を変更することなく、機器の追加や拡張を行うことができるリングネットワークシステムを提供することを課題とする。
【課題を解決するための手段】
【００１１】
本発明は前記課題を解決するために以下の構成とした。請求項１の発明は、データ通信を制御する通信制御部を有する複数の機器を第１の伝送路によりリング状に接続し、各機器相互間でデータの送受信を行うリングネットワークシステムにおいて、さらに、前記通信制御部を有する追加機器と、第２の伝送路と、整波装置とを設け、前記複数の機器と前記追加機器と前記整波装置とを前記第１の伝送路及び前記第２の伝送路によりリング状に接続し、前記整波装置は、前記第１の伝送路及び前記第２の伝送路上の前記データに含まれる信号の波形を整形して増幅することを特徴とする。
【発明の効果】
【００１２】
本発明によれば、既存の複数の機器に、さらに、追加機器を追加する場合には、第２の伝送路と整波装置とを設けるのみで、既存の複数の機器の位置、及び第１の伝送路の配索経路や線長を変更することなく、リングネットワークシステムを構成することができる。
【発明を実施するための最良の形態】
【００１３】
以下、本発明のリングネットワークシステムの実施の形態を図面を参照して詳細に説明する。
【００１４】
なお、特許請求の範囲に記載された発明は、第４の実施の形態及び第５の実施の形態のリングネットワークシステムの内容に対応する。
【００１５】
＜第１の実施の形態＞
図１に本発明の第１の実施の形態に係るリングネットワークシステムの構成ブロック図を示す。
【００１６】
このリングネットワークシステムは、図１に示すように、車両に設けられ、ラックユニット１、スイッチパネル２、通信ＩＣを有しないアナログ機器（非ネットワーク機器）であるＣＤプレーヤー３、アナログ機器であるカセットデッキ４、通信ＩＣを有するデジタル機器（ネットワーク対応機器）であるＣＤチェンジャ５、デジタル機器であるデジタルアンプ６、デジタル機器であるラジオチューナ７、デジタル機器である整波ユニット８を有して構成されている。
【００１７】
ここで、通信ＩＣは、受信したデータが自己宛てのデータであればそのデータを取り込み、受信したデータが自己宛て以外のデータであればそのデータをそのまま伝送路に送り、送信すべきデータがあればその送信すべきデータを伝送路に送るものである。
【００１８】
ラックユニット１、スイッチパネル２、ＣＤプレーヤー３、カセットデッキ４のそれぞれは、車両のフロント側に配置され、ＣＤチェンジャ５、デジタルアンプ６、ラジオチューナ７は、車両のリア側に配置されている。
【００１９】
また、ラックユニット１、整波ユニット８、ＣＤチェンジャ５、デジタルアンプ６、ラジオチューナ７のそれぞれのデジタル機器が伝送路９ａ〜９ｅにより、リング状に接続されてリングネットワークシステムを構成している。ＣＤプレーヤー３、カセットデッキ４は、ラックユニット１を介してリングネットワークシステムに追加されるようになっている。
【００２０】
このため、ラックユニット１には、２つの機器挿入スロット１０ａ，１０ｂが設けられており、機器挿入スロット１０ａにＣＤプレーヤー３の先端部が装着され、機器挿入スロット１０ｂにカセットデッキ４の先端部が装着され、ＣＤプレーヤー３及びカセットデッキ４がラックユニット１に電気的に接続可能となっている。
【００２１】
なお、機器挿入スロットの数は、２つに限定されることなく、機器挿入スロットの構造や機器の数に応じて、３つ以上設けてもよい。
【００２２】
また、ラックユニット１は、アナログ機器であるＣＤプレーヤー３やカセットデッキ４を選択するアナログセレクタ１１、アナログ機器からのアナログ信号をデジタル信号に変換するＡＤＣ１２、ＡＤＣ１２からのデジタル信号を入力する通信ＩＣ１３、デジタル機器を選択するデジタルセレクタ１４、光信号を電気信号に変換したり電気信号を光信号に変換する光電変換回路１５を有する。通信ＩＣ１３は、リングネットワークシステム用のデジタルインターフェイス及びＣＰＵとの低速シリアルインターフェイス及びＡＤＣ（ＤＡＣ）とのデジタルオーディオインターフェイスを有する。
【００２３】
ＣＤプレーヤー３は、ＣＤ３１と、処理を実行する中央処理装置（ＣＰＵ）３２とを有する。カセットデッキ４は、カセット４１、ＣＰＵ４２を有する。
【００２４】
スイッチパネル２は、ラックユニット１に電気的に接続され、各機器への操作を行うためにコマンドを入力するキースイッチ２１、各種のデータを表示するディスプレイ２２、キースイッチ２１からのコマンド等をラックユニット１へ送信したり、ラックユニット１からのデータを受信したり、スイッチ制御や、ディスプレイ制御等を行うＣＰＵ２３を有する。
【００２５】
ＣＰＵ２３は、ＣＤプレーヤー３、カセットデッキ４の装着検出信号により、ＣＤプレーヤー３、カセットデッキ４が対応する機器挿入スロットに装着されたか否かを判定する。また、ＣＰＵ２３は、ＣＤプレーヤー３、カセットデッキ４の機器検出信号により、ＣＤプレーヤー３、カセットデッキ４がデジタル機器（通信ＩＣ内蔵機器）かアナログ機器かどうかを判定する。ＣＰＵ２３は、機器判定の結果、セレクタ制御信号によりアナログセレクタ１１またはデジタルセレクタ１４を切り替える。
【００２６】
ＣＤチェンジャ５は、ＣＤ５１、ＣＤ５１からのＣＤ信号をデジタル信号に変換するＡＤＣ５２、通信ＩＣ５３、光電変換回路５４、各部を制御するＣＰＵ５５を有する。
【００２７】
デジタルアンプ６は、デジタル信号をアナログ信号に変換しそのアナログ信号を増幅するＤＡＣ／ＡＭＰ６２、通信ＩＣ６３、光電変換回路６４、ＣＰＵ６５を有する。デジタルアンプ６内のＤＡＣ／ＡＭＰ６２には音を出力するためのスピーカ６６が接続される。
【００２８】
ラジオチューナ７は、ラジオチューナ７１、ラジオチューナ７１からの信号をデジタル信号に変換するＡＤＣ７２、通信ＩＣ７３、光電変換回路７４、ＣＰＵ７５を有する。
【００２９】
整波ユニット８は、光電変換回路８１、通信ＩＣ８２、ＣＰＵ８３を有し、伝送路９ａ上の光信号の減衰や波形歪みや光信号に含まれるジッター等を除去して信号波形を整形する。
【００３０】
なお、図１中で、点線は、アナログ信号ラインを示し、太い実線は、高速通信ラインを示す、細い実線は、低速通信ラインを示している。
【００３１】
以上の構成によれば、ラックユニット１に設けられた機器挿入スロット１０ａ，１０ｂにアナログ機器であるＣＤプレーヤー３やカセットデッキ４を装着することで、ネットワークへの機器の追加、拡張が容易に行える。
【００３２】
また、追加される機器は、スロット構造によるコネクタ接続によりネットワークへの接続が行われるため、接続用のケーブルを特に必要とすることもなく、さらに、光コネクタや光ファイバなどの特別な媒体が必要でなくなる。
【００３３】
図２は第１の実施の形態のラックユニットに装着される機器に応じてアナログセレクタまたはデジタルセレクタに切り替える動作を示すフローチャートである。図２を参照して、装着される機器に応じてアナログセレクタまたはデジタルセレクタに切り替える動作を説明する。
【００３４】
まず、ＣＰＵ２３は、機器がラックユニット１の機器挿入スロット１０ａに装着されたかどうかを装着検出信号によって判定する（ステップＳ１１）。ここで、装着検出信号が例えば、Ｈ（１）レベルである場合には、ＣＰＵ２３は、機器が機器挿入スロットに未装着であると判定し、装着待機状態となる。
【００３５】
一方、装着検出信号が例えば、Ｌ（０）レベルである場合には、ＣＰＵ２３は、機器が機器挿入スロットに装着されたと判定する。機器が機器挿入スロットに装着された場合には、ＣＰＵ２３は、装着された機器がアナログ機器かデジタル機器を機器検出信号によって判定する（ステップＳ１３）。
【００３６】
ここで、機器検出信号が例えば、Ｈ（１）レベルである場合には、ＣＰＵ２３は、機器がアナログ機器であると判定し、セレクタ制御信号によりアナログセレクタ１１を切り替える（ステップＳ１５）。
【００３７】
一方、機器検出信号が例えば、Ｌ（０）レベルである場合には、ＣＰＵ２３は、機器がデジタル機器であると判定し、セレクタ制御信号によりデジタルセレクタ１４を切り替える（ステップＳ１７）。
【００３８】
このセレクタの切り替えにより、デジタル機器によるリングネットワークシステムを構成することができるとともに、アナログ機器からのアナログ信号を通信ＩＣ１３に入力することができる。
【００３９】
これにより、機器挿入スロット１０ａ等にデジタル機器がいくつ接続された場合でも、常に自動的にリングネットワークシステムを構成することができ、また、機器挿入スロット１０ａ等にアナログ機器が接続された場合でも、アナログ機器からのアナログ信号を通信ＩＣ１３により他のデジタル機器に出力することもできる。
【００４０】
次に、図１に示す第１の実施の形態のリングネットワークシステムによる具体的な動作を説明する。ここでは、アナログフロント機器からリア側のデジタルアンプへの信号の伝送を説明する。図３に第１の実施の形態のアナログフロント機器からリア側のデジタルアンプへの信号の伝送のフローチャートを示す。
【００４１】
まず、アナログフロント機器、例えば、ＣＤプレーヤ３をラックユニット１の機器挿入スロット１０ａに装着すると（ステップＳ２１）、ＣＰＵ２３は、アナログセレクタ１１を切り替える（ステップＳ２３）。
【００４２】
すると、ＣＤプレーヤー３からのアナログ信号がアナログセレクタ１１を介してＡＤＣ１２に入力され、ＡＤＣ１２によりアナログ信号がデジタル信号に変換される（ステップＳ２５）。
【００４３】
そして、そのデジタル信号は、ラックユニット１内の通信ＩＣ１３を介してデジタルセレクタ１４に伝送され（ステップＳ２７）、さらに、光電変換回路１５、伝送路９ａ〜９ｃを介してリア側のデジタルアンプ６の通信ＩＣ６３に伝送される（ステップＳ２９）。デジタルアンプ６では、ＤＡＣ／ＡＭＰ６２により、デジタル信号をアナログ変換し増幅して、スピーカ６６に音を出力することができる（ステップＳ３１）。
【００４４】
このように、アナログ機器が接続された場合でも、アナログ機器からのアナログ信号をデジタル信号に変換した後、通信ＩＣ１３によりデジタル機器への接続を制御するため、機器の拡張が容易に行える。
【００４５】
次に、第１の実施の形態のデジタルリア機器からリア側のデジタルアンプへの信号の伝送を説明する。図４は第１の実施の形態のデジタルリア機器からリア側のデジタルアンプへの信号の伝送を示すフローチャートである。
【００４６】
まず、リア機器、例えば、ＣＤチェンジャ５を動作させ（ステップＳ４１）、ＣＤ５１からのアナログ信号をＡＤＣ５２によりデジタル信号に変換し（ステップＳ４３）、通信ＩＣ５３によりデジタル信号をデジタルアンプ６へ送信する（ステップＳ４５）。デジタルアンプ６では、ＤＡＣ／ＡＭＰ６２により、デジタル信号をアナログ変換し増幅して、スピーカ６６に音を出力することができる（ステップＳ４７）。
【００４７】
＜第２の実施の形態＞
図５は本発明の第２の実施の形態に係るリングネットワークシステムを示す構成ブロック図である。第２の実施の形態では、ラックユニット１にチューナ／アンプ１７、カセットデッキ４等のアナログ機器を装着し、フロント側にアンプを配置し、アナログ機器相互間でデータ通信を行うことを特徴とする。
【００４８】
図５に示すリングネットワークシステムは、ラックユニット１、スイッチパネル２、チューナ／アンプ１７、カセットデッキ４、ＣＤチェンジャ５、デジタルアンプ６を有する。チューナ／アンプ１７は、チューナ／アンプ部９１、ＣＰＵ９２を有している。
【００４９】
なお、図５に示す部分の中で、図１に示す部分と同一部分には同一符号を付し、その詳細な説明は省略する。
【００５０】
次に、図６のフローチャートを参照して、第２の実施の形態のアナログフロント機器からフロント側のアナログアンプへの信号の伝送を説明する。
【００５１】
まず、アナログフロント機器、例えば、カセットデッキ４をラックユニット１の機器挿入スロット１０ｂに装着すると（ステップＳ５１）、アナログセレクタ１１を切り替える（ステップＳ５３）。
【００５２】
すると、カセットデッキ４からアナログ信号がアナログセレクタ１１へ出力され（ステップＳ５５）、そのアナログ信号は、アナログセレクタ１１を介してフロント側のアナログ機器であるチューナ／アンプ１７に入力される（ステップＳ５７）。
【００５３】
このように、アナログ機器が接続された場合でも、アナログ機器からのアナログ信号を他のアナログ機器に出力することができる。
【００５４】
次に、図７のフローチャートを参照して、第２の実施の形態のデジタルリア機器からフロント側のアナログアンプへの信号の伝送を説明する。
【００５５】
まず、リア機器、例えば、ＣＤチェンジャ５を動作させ（ステップＳ６１）、ＣＤ５１からのアナログ信号をＡＤＣ５２によりデジタル信号に変換し（ステップＳ６３）、通信ＩＣ５３によりデジタル信号を伝送路９ｂ，９ｃを介してデジタルセレクタ１４へ送信する（ステップＳ６５）。
【００５６】
さらに、デジタル信号は、通信ＩＣ１３を介してＤＡＣ１２ａによりアナログ信号に変換され（ステップＳ６７）、変換されたアナログ信号は、アナログセレクタ１１によりチューナ／アンプ１７に出力される（ステップＳ６９）。
【００５７】
＜第３の実施の形態＞
図８は本発明の第３の実施の形態に係るリングネットワークシステムを示す構成ブロック図である。第３の実施の形態では、ラックユニット１に電話ユニット１８、音声認識ユニット１９等のデジタル機器を装着したことを特徴とする。
【００５８】
図８に示すリングネットワークシステムは、ラックユニット１、スイッチパネル２、電話ユニット１８、音声認識ユニット１９、ＣＤチェンジャ５、デジタルアンプ６を有する。
【００５９】
電話ユニット１８は、電話電子制御装置（ＴＥＬＥＣＵ）９３、ＣＰＵ９４、通信ＩＣ９５を有する。音声認識ユニット１９は、音声を認識する音声認識部９６、ＣＰＵ９７、通信ＩＣ９８を有する。
【００６０】
次に、図９のフローチャートを参照して、第３の実施の形態のデジタルフロント機器から他のデジタル機器への信号の伝送を説明する。
【００６１】
まず、デジタルフロント機器、例えば、音声認識ユニット１９をラックユニット１の機器挿入スロット１０ｂに装着すると（ステップＳ７１）、ＣＰＵ２３は、デジタルセレクタ１４を切り替える（ステップＳ７３）。
【００６２】
すると、音声認識ユニット１９からデジタル信号がデジタルセレクタ１４へ出力され、そのデジタル信号は、デジタルセレクタ１４を介して他のデジタル機器に送信される（ステップＳ７５）。
【００６３】
例えば、デジタル信号は、伝送路９ａ，９ｂを介してデジタルアンプ６に伝送され、デジタルアンプ６では、ＤＡＣ／ＡＭＰ６２により、デジタル信号をアナログ変換し増幅して、スピーカ６６に音を出力することができる。すなわち、デジタル機器が接続された場合でも、デジタル機器からのデジタル信号を他のデジタル機器に出力することができる。
【００６４】
以上に説明したように、機器挿入スロットにアナログ機器またはデジタル機器が接続された場合でも、自動的にネットワークシステムを構成することができるため、容易に機器を拡張することができる。
【００６５】
なお、第１の実施の形態から第３の実施の形態までのリングネットワークシステムでは、リア機器がある場合について説明したが、本発明はリア機器がない場合にも適用可能である。
【００６６】
リア機器がない場合の一例を図１０を参照して説明する。図１０に本発明の第３の実施の形態に係るリングネットワークシステムの変形例を示す構成ブロック図を示す。
【００６７】
図１０に示すリングネットワークシステムは、フロント（リア機器がない場合）側のみでリングネットワークシステムを構成し、以下の方法によりリア機器の有無を確認する。
【００６８】
まず、機器挿入スロットへの機器挿入の状態を各検出信号によって確認した後、その接続状態に応じて、デジタルセレクタ１４を切り換えるとともに、光電変換回路１５へのリングのルート（経路）を構成する。
【００６９】
ＣＰＵ２３は、通信ＩＣ１１を通して、リングネットワークに対して、何らかのデータを送出する。リア機器が存在しない場合には、光電変換回路１５においてデータが寸断するため、通信ＩＣ１１は、データを受信不可能となる。
【００７０】
そして、スイッチパネル２内のＣＰＵ２３は、通信ＩＣ１１を通してリングネットワークが正常に構成されていないことを検知し、リア側に機器が接続されていないことを認識する。
【００７１】
このため、デジタルセレクタ１４をフロント機器のみでリングネットワークが構成できるように切り換える。すなわち、デジタルセレクタ１４は、光電変換回路１５への経路を遮断する（経路遮断を‘×’で示す。）。
【００７２】
以上の処理を実行することにより、リア機器もしくはリアの伝送路において何らかの異常が発生した場合にも、フロント側の機器のみでリングネットワークシステムを構成することができる。
【００７３】
＜第４の実施の形態＞
図１１は本発明の第４の実施の形態に係るリングネットワークシステムを示す構成ブロック図である。図１１に示すリングネットワークシステムは、第１の機器１０１、第２の機器１０２、第３の機器１０３、及び整波ユニット１０４を有する。
【００７４】
第１の機器１０１及び第２の機器１０２は、標準装備ユニットからなり、その位置は元の位置のままである。第３の機器１０３は、追加ユニットからなる。伝送路１０９ａ，１０９ｂも既存のものであり、配索経路、線長も変更されることなく、そのままである。
【００７５】
第１の機器１０１は、通信ＩＣ１０５ａを有し、第２の機器１０２は、通信ＩＣ１０５ｂを有し、第３の機器１０３は、通信ＩＣ１０５ｃを有し、整波ユニット１０４は、整波回路１０６を有する。整波回路１０６は、伝送路１０９ａ〜１０９ｄ上の光信号の減衰、波形歪み、ジッタ等を修復するものである。
【００７６】
通信ＩＣ１０５ａの出力側と通信ＩＣ１０５ｂの入力側とは伝送路１０９ａで接続され、通信ＩＣ１０５ｂの出力側と通信ＩＣ１０５ｃの入力側とは伝送路１０９ｄで接続され、通信ＩＣ１０５ｃの出力側と整波回路１０６の入力側とは伝送路１０９ｃで接続され、整波回路１０６の出力側と通信ＩＣ１０５ａの入力側とは伝送路１０９ｂで接続されている。
【００７７】
以上の構成によれば、標準装備ユニットである第１の機器１０１及び第２の機器１０２の位置、及び伝送路１０９ａ，１０９ｂの配索経路を変更することなく、リングネットワークシステムに、さらに第３の機器１０３を追加、拡張することができる。
【００７８】
また、中継コネクタ等を使用していないため、光信号の減衰、波形歪み、ジッター等の発生を防止することができる。さらに、整流波回路１０４を設けたので、伝送路１０９ａ〜１０９ｄ上の光信号の減衰、波形歪み、ジッタ等を修復するから、正常な通信を行うことができる。
【００７９】
＜第５の実施の形態＞
図１２は本発明の第５の実施の形態に係るリングネットワークシステムを示す構成ブロック図である。第５の実施の形態は、第４の実施の形態の変形例であり、第２の機器１０２ａ内に整波回路１０６を設けたことを特徴とする。
【００８０】
通信ＩＣ１０５ａの出力側と通信ＩＣ１０５ｂの入力側とは伝送路１０９ａで接続され、通信ＩＣ１０５ｂの出力側と通信ＩＣ１０５ｃの入力側とは伝送路１０９ｄで接続され、通信ＩＣ１０５ｃの出力側と整波回路１０６の入力側とは伝送路１０９ｃで接続され、整波回路１０６の出力側と通信ＩＣ１０５ａの入力側とは伝送路１０９ｂで接続されている。以上の構成によれば、第４の実施の形態の効果と同様な効果が得られる。
【００８１】
なお、本発明は、前述した実施の形態のリングネットワークシステムに限定されるものではない。実施の形態では、スイッチパネル２内にＣＰＵ２３を設けたが、スイッチパネル２内にＣＰＵ２３を設ける代わりに、このＣＰＵ２３をラックユニット１内に設けてもよい。
【００８２】
また、第１の実施の形態から第３の実施の形態では、機器挿入スロット１０ａ，１０ｂの両方にアナログ機器を装着したり、あるいは、機器挿入スロット１０ａ，１０ｂの両方にデジタル機器を装着した場合を説明したが、例えば、機器挿入スロット１０ａにアナログ機器を装着し、機器挿入スロット１０ｂにデジタル機器を装着しても、自動的にシステムを構成することができる。これにより、容易に機器の追加、拡張を行うことができる。
【図面の簡単な説明】
【００８３】
【図１】本発明の第１の実施の形態に係るリングネットワークシステムを示す構成ブロック図である。
【図２】第１の実施の形態のラックユニットに装着される機器に応じてアナログセレクタまたはデジタルセレクタに切り替える動作を示すフローチャートである。
【図３】第１の実施の形態のアナログフロント機器からリア側のデジタルアンプへの信号の伝送を示すフローチャートである。
【図４】第１の実施の形態のデジタルリア機器からリア側のデジタルアンプへの信号の伝送を示すフローチャートである。
【図５】本発明の第２の実施の形態に係るリングネットワークシステムを示す構成ブロック図である。
【図６】第２の実施の形態のアナログフロント機器からフロント側のアナログアンプへの信号の伝送を示すフローチャートである。
【図７】第２の実施の形態のデジタルリア機器からフロント側のアナログアンプへの信号の伝送を示すフローチャートである。
【図８】本発明の第３の実施の形態に係るリングネットワークシステムを示す構成ブロック図である。
【図９】第３の実施の形態のデジタルフロント機器から他のデジタル機器への信号の伝送を示すフローチャートである。
【図１０】本発明の第３の実施の形態に係るリングネットワークシステムの変形例を示す構成ブロック図である。
【図１１】本発明の第４の実施の形態に係るリングネットワークシステムを示す構成ブロック図である。
【図１２】本発明の第５の実施の形態に係るリングネットワークシステムを示す構成ブロック図である。
【図１３】従来のリングネットワークシステムの一例を示す構成図である。
【図１４】標準装備された機器により構成された従来のリングネットワークシステムを示す構成図である。
【図１５】図１４に示すリングネットワークシステムに新たな機器を追加して構成されたリングネットワークシステムを示す構成図である。
【符号の説明】
【００８４】
１  ラックユニット
２  スイッチパネル
３  ＣＤプレーヤー
４  カセットデッキ
５  ＣＤチェンジャ
６  デジタルアンプ
７  ラジオチューナ
８，１０４  整波ユニット
９ａ〜９ｅ  伝送路
１０ａ，１０ｂ  機器挿入スロット
１１  アナログセレクタ
１２  ＡＤＣ
１３  通信ＩＣ
１４  デジタルセレクタ
１５  光電変換回路
１７  チューナ／アンプ
１８  電話ユニット
１９  音声認識ユニット
２３  ＣＰＵ
【図１】
2007221827.tif 000003
【図２】
2007221827.tif 000004
【図３】
2007221827.tif 000005
【図４】
2007221827.tif 000006
【図５】
2007221827.tif 000007
【図６】
2007221827.tif 000008
【図７】
2007221827.tif 000009
【図８】
2007221827.tif 000010
【図９】
2007221827.tif 000011
【図１０】
2007221827.tif 000012
【図１１】
2007221827.tif 000013
【図１２】
2007221827.tif 000014
【図１３】
2007221827.tif 000015
【図１４】
2007221827.tif 000016
【図１５】
2007221827.tif 000017